(57)【要約】【課題】  交換レンズをカメラ本体に装着しなくても、交換レンズの情報をカメラ本体に簡単に読みとれる、操作性の良い撮像システムを実現する。【解決手段】  カメラ本体と、該カメラ本体に対して交換可能なレンズと、から構成される撮像システムであって、前記レンズは、情報を記憶する第１の記憶手段と、第１の記憶手段に記憶された情報を変調し、人体を介して送信する送信手段を有し、前記カメラ本体は、前記レンズの送信手段から人体を介して送信された情報を受信して復調する受信手段と、前記受信手段で復調した情報を記憶する第２の記憶手段を有することを特徴とする撮像システム。【選択図】        図１
2007017746.tif 000002
【特許請求の範囲】
【請求項１】
カメラ本体と、
該カメラ本体に対して交換可能なレンズと、
から構成される撮像システムであって、
前記レンズは、
情報を記憶する第１の記憶手段と、
第１の記憶手段に記憶された情報を変調し、人体を介して送信する送信手段を有し、
前記カメラ本体は、
前記レンズの送信手段から人体を介して送信された情報を受信して復調する受信手段と、
前記受信手段で復調した情報を記憶する第２の記憶手段を有することを特徴とする撮像システム。
【請求項２】
前記レンズまたは前記カメラ本体の少なくとも一方は通信を開始するための操作部材を有し、
前記操作部材を操作することにより通信を開始することを特徴とする請求項１に記載の撮像システム。
【請求項３】
前記操作部材は人体と接触する電極部を有し、
電極部を介して通信信号を送信または受信することを特徴とする請求項２に記載の撮像システム。
【請求項４】
前記情報はレンズ固有の情報であることを特徴とする請求項１に記載の撮像システム。
【請求項５】
前記カメラ本体は表示手段を有し、前記第２の記憶手段に記憶した情報を前記表示手段に表示することを特徴とする請求項１に記載の撮像システム。
【請求項６】
カメラ本体と、該カメラ本体に対して交換可能なレンズから構成される撮像システムに用いられるカメラ本体であって、
前記カメラ本体は、
前記レンズから人体を介して送信された情報を、受信して復調する受信手段と、
前記受信手段で復調した情報を、記憶する第２の記憶手段と、
を有することを特徴とするカメラ本体。
【請求項７】
カメラ本体に対して交換可能なレンズであって、
前記レンズは、
情報を記憶する第１の記憶手段と、
前記レンズまたは前記カメラ本体の少なくとも一方に備えられた操作部材の操作に応答して、前記第１の記憶手段に記憶された前記情報を変調し、人体を介してカメラ本体に送信する送信手段と、
を有することを特徴とするレンズ。
【発明の詳細な説明】
【技術分野】
【０００１】
本発明は、撮像システムに関する。より詳しくは交換可能なレンズと、カメラ本体を有する一眼レフカメラシステム、カメラ本体、およびレンズに関する。
【背景技術】
【０００２】
レンズ交換式一眼レフカメラにおいては、カメラ本体がレンズを駆動して、露出制御や自動焦点制御などの制御を行う際に、各交換レンズに固有の焦点距離やＦ値、焦点距離、ズーム倍率、最短撮影距離などの情報が必要である。一般に、各交換レンズに固有の情報をレンズに内蔵されたマイクロコンピュータやＲＯＭ（Ｒｅａｄ  Ｏｎｌｙ  Ｍｅｍｏｒｙ）に記録している。前記ＲＯＭは、レンズマウント部と、カメラ本体部のマウント部にレンズをカメラ本体に装着した時に接触するようにした接点を介して、有線でカメラの制御部と電源に接続されるようになっている。
【０００３】
一方、異なる２つの機器間におけるデータ通信を、人体を介して行なう人体通信が提案されている。
【０００４】
人体通信では、人体をケーブルの代わりとして、人体を流れる電流の変化により信号を伝送するので、ケーブル類を用いた有線通信と比べてケーブルを使わなければならない煩わしさがなくなるという利点がある。また、無線で伝送する場合と比べて、伝送距離が短いため少ない消費電力で信号を伝送でき、回路規模を小さくすることができる。
【０００５】
たとえば、トレーニングでの脈拍や心拍数などを測定する計測器を耳に装着し、腕に装着する腕時計のような表示手段とのデータのやり取りを人体を介して行なう方法が提案されている（例えば、特許文献１参照）。また、腕時計のような形状の送信部を装着し、受信部を備えた端末に振れることにより、人体を介してデータを送信する方法が提案されている（例えば、特許文献２参照）。
【特許文献１】特開２００３−５５７号公報
【特許文献２】特開２００３−１３２０３１号公報
【発明の開示】
【発明が解決しようとする課題】
【０００６】
レンズ交換式一眼レフカメラにおいては、例えばスポーツ撮影や報道撮影などでは、被写体を追って撮影するため、急いでレンズを交換して撮影することが多い。しかしながら、レンズ交換式一眼レフカメラにおいてはレンズを交換する際に、カメラ本体に交換レンズが取り付けられてから交換レンズに内蔵するマイクロコンピュータやＲＯＭに通電されるので、カメラ本体の制御部がマイクロコンピュータやＲＯＭの情報を読み取るのに時間がかかっていた。そのため、露出制御や自動焦点制御などの制御が遅れて、シャッターチャンスを逃してしまう、という問題があった。
【０００７】
また、スタジオの暗がりや夜間屋外の暗闇で撮影中にレンズ交換を行うことがある。暗がりでは、レンズ鏡胴に刻印されている焦点距離やＦ値などの情報が読みとれないため、交換レンズの選択に困る場合があった。カメラ本体に装着すれば、レンズ情報は読みとれるが、前述のようにカメラ本体の制御部が情報を読みとるまで時間がかかるため、大変面倒でシャッターチャンスを逃すこともあった。
【０００８】
本発明は、上記課題に鑑みてなされたものであって、人物が交換レンズとカメラ本体に触れるだけで、交換レンズの情報をカメラ本体に簡単に読みとれる、操作性の良い撮像システムを提供することを目的とする。
【課題を解決するための手段】
【０００９】
本発明の目的は、下記構成により達成することができる。
【００１０】
（請求項１）
カメラ本体と、
該カメラ本体に対して交換可能なレンズと、
から構成される撮像システムであって、
前記レンズは、
情報を記憶する第１の記憶手段と、
第１の記憶手段に記憶された情報を変調し、人体を介して送信する送信手段を有し、
前記カメラ本体は、
前記レンズの送信手段から人体を介して送信された情報を受信して復調する受信手段と、
前記受信手段で復調した情報を記憶する第２の記憶手段を有することを特徴とする撮像システム。
【００１１】
（請求項２）
前記レンズまたは前記カメラ本体の少なくとも一方は通信を開始するための操作部材を有し、
前記操作部材を操作することにより通信を開始することを特徴とする請求項１に記載の撮像システム。
【００１２】
（請求項３）
前記操作部材は人体と接触する電極部を有し、
電極部を介して通信信号を送信または受信することを特徴とする請求項２に記載の撮像システム。
【００１３】
（請求項４）
前記情報はレンズ固有の情報であることを特徴とする請求項１に記載の撮像システム。
【００１４】
（請求項５）
前記カメラ本体は表示手段を有し、前記第２の記憶手段に記憶した情報を前記表示手段に表示することを特徴とする請求項１に記載の撮像システム。
【００１５】
（請求項６）
カメラ本体と、該カメラ本体に対して交換可能なレンズから構成される撮像システムに用いられるカメラ本体であって、
前記カメラ本体は、
前記レンズから人体を介して送信された情報を、受信して復調する受信手段と、
前記受信手段で復調した情報を、記憶する第２の記憶手段と、
を有することを特徴とするカメラ本体。
【００１６】
（請求項７）
カメラ本体に対して交換可能なレンズであって、
前記レンズは、
情報を記憶する第１の記憶手段と、
前記レンズまたは前記カメラ本体の少なくとも一方に備えられた操作部材の操作に応答して、前記第１の記憶手段に記憶された前記情報を変調し、人体を介してカメラ本体に送信する送信手段と、
を有することを特徴とするレンズ。
【発明の効果】
【００１７】
請求項１に記載の発明によれば、レンズの情報をカメラ本体に送信する際に、人体を介して情報の送受信を行うので、レンズをカメラ本体に装着しなくても、人物がレンズとカメラ本体に触れるだけでレンズ情報を得ることが可能な、操作性の良い撮像システムを提供できる。
【００１８】
請求項２に記載の発明によれば、レンズまたは前記カメラ本体の少なくとも一方の操作部材を操作することにより通信を開始するので、必要な時にデータの取得ができる操作性の良い撮像システムを提供できる。
【００１９】
請求項３に記載の発明によれば、操作部材は人体と接触する電極部を有しているので、操作部材を操作して通信を開始した後、操作部材に触れているだけで通信ができる、操作性の良い撮像システムを提供できる。
【００２０】
請求項４に記載の発明によれば、前記情報はレンズ固有の情報であるので、レンズの制御に必要な情報がレンズをカメラに装着しなくとも、操作性の良い撮像システムを提供できる。
【００２１】
請求項５に記載の発明によれば、前記カメラ本体は表示手段を有し、レンズの情報を前記表示手段に表示するので、暗闇でもレンズに手を触れるだけでカメラ本体にレンズ情報が表示される操作性の良い撮像システムを提供できる。
【００２２】
請求項６に記載の発明によれば、レンズの情報をカメラ本体が受信する際に、人体を介して情報の受信を行うので、レンズをカメラ本体に装着しなくても、人物がレンズとカメラ本体に触れるだけでレンズ情報を得ることが可能な、操作性の良いカメラ本体を提供できる。
【００２３】
請求項７に記載の発明によれば、レンズの情報をカメラ本体に送信する際に、操作部材の操作により人体を介して情報の送信を行うので、レンズをカメラ本体に装着しなくても、人物がレンズとカメラ本体に触れるだけでレンズ情報を得ることが可能な、操作性の良いレンズを提供できる。
【発明を実施するための最良の形態】
【００２４】
以下図面に基づいて、本発明の実施形態に係わる撮像システムについて説明する。
【００２５】
図１は本発明の実施形態に係わる撮像システム１の全体を示す構成である。撮像システム１は、デジタルカメラ１０と交換レンズ３とから構成される。
【００２６】
最初に、交換レンズ３について説明する。交換レンズ３はズームレンズとして構成され、操作リング３１１を回転させることにより、焦点距離（撮像倍率）を変更可能としている。操作リング３１１には後で詳しく説明する本発明の通信を開始するための操作部材である通信開始スイッチ３０３が設けられている。通信開始スイッチ３０３を押すと交換レンズ３の情報を人体を介してカメラ本体２に送信する。通信開始スイッチ３０３には通信開始スイッチ３０３を押すと指と接触するように電極Ａ  ３０１が設けられている。また、交換レンズ３の前枠３１２には人体を介して通信するためのもう一方の電極Ｂ  ３０２が設けられている。
【００２７】
なお、交換レンズ３はズームレンズに限定されるものでは無く、単焦点レンズであって固定筒３１０だけで構成されるものでも良い。また、通信開始スイッチ３０３の配置は本実施の形態に限定されるものではなく、操作を妨げない位置であれば、固定筒３１０などに配置しても良い。電極Ａ  ３０１、電極Ｂ  ３０２も同様であり、電極Ａ  ３０１は交換レンズ３がカメラ本体２と通信時に指など人体に接触するように配置されれば良く、通信開始スイッチ３０３上に限定されるものではない。一方、電極Ｂ  ３０２は交換レンズ３がカメラ本体２と通信時に、人体の近くで人体に接触しない位置に配置されれば良く、鏡胴の内側などに配置しても良い。
【００２８】
交換レンズ３のカメラ本体２に対する着脱方式は、従来のレンズマウント機構の標準方式であるバヨネットマウント方式であり、レンズ側マウント面３１３をカメラ本体側マウント面１０５に接触させてから固定筒３１３を回すことにより装着を行い、逆の操作で取り外しを行うようになっている。なお、交換レンズ３を装着状態に保持するためのロック機構が交換レンズ３とカメラ本体２に設けられており、カメラ本体２には、このロックを解除するためのレンズ取り外しボタン１０６が設けられている。
【００２９】
次に、図２と図３を用いて、デジタルカメラ１０の外観を説明する。図２はデジタルカメラ１０の正面図、図３はデジタルカメラ１０の背面図である。
【００３０】
デジタルカメラ１０は、レンズ交換が可能な一眼レフ型のデジタルカメラである。
【００３１】
図２のデジタラルカメラ１０の正面中央部には、交換レンズ３を装着するためのレンズマウント部であるレンズマウント１０５が設けられている。また、レンズマウント１０５の近傍には、デジタルカメラ１０に装着された交換レンズ３を取り外す為のレンズ取り外しボタン１０６が設けられている。またレンズマウント１０５の内部には、交換レンズ３０と交信を行う為の信号端子板Ａ１０７が設けられている。
【００３２】
デジタルカメラ１０の正面のグリップ部２０５には人体を介して交換レンズ３と通信するための電極Ｃ  ２０１が設けられている。また、カメラ本体２には人体を介して通信するためのもう一方の電極Ｄ  ２０２が設けられている。
【００３３】
なお、電極Ｃ  ２０１はカメラ本体２が交換レンズ３と通信時に指など人体に接触するように配置されば良く、グリップ部２０５上に限定されるものではない。一方、電極Ｄ  ３０２はカメラ本体２が交換レンズ３と通信時に、人体の近くで人体に接触しない位置に配置されれば良く、カメラ本体２の上面や筐体の内面などに配置しても良い。
【００３４】
カメラ本体部２の上面側にはシャッタボタン６１と撮影モードダイアル６４とフラッシュ９４が設けられている。
【００３５】
図３に示すカメラ本体部２の背面側には電源スイッチ１０２、本発明の表示手段である液晶モニタ８１、モードスイッチ６２、表示切り替えボタン６３、十字キー６５、実行ボタン６６、ファインダ１０４、ファインダ接眼部１０５、メモリカード蓋８２が設けられている。
【００３６】
後で詳しく説明するように、交換レンズ３から送信されたレンズ固有の情報は、液晶モニタ８１に表示される。
【００３７】
モードスイッチ６２は撮影モードと再生モードとセットアップモードを切り替えるスイッチである。撮影モードは、写真撮影を行うモードであり、再生モードは、メモリカード２５に記録された撮影画像を液晶モニタ８１に再生表示するモードである。セットアップモードは各種設定を行うモードである。セットアップモードにおける各種設定は、セットアップモードを選択した後、液晶モニタ８１に表示される設定画面を見ながら、十字キー６５、実行ボタン６６で設定する。
【００３８】
撮影モードダイアル６４は各種撮影モードを切り替えるダイアルである。
【００３９】
図４を用いて、図１に示したデジタルカメラ１０と交換レンズ３の内部構成を説明する。
【００４０】
図４（ａ）、図４（ｂ）は図１の交換レンズ３を装着したデジタルカメラ１０の側面から見た断面図である。図４（ａ）は撮影前の状態、図４（ｂ）は撮影中の状態である。
【００４１】
交換レンズ３をデジタルカメラ１０に装着した状態では、交換レンズ３のレンズ側マウント面３１３に取り付けられた信号端子板Ｂ  ３０５の各接点とカメラ本体側マウント面１０５の信号端子板Ａ  １０７の各接点が接触し、電気信号を送受信できるようになっている。
【００４２】
送信部３００とカメラ本体側の受信部２００は交換レンズ３がデジタルカメラ１０に装着されていない状態で、人体を介して交換レンズ３とデジタルカメラ１０が情報の送受信を行うための通信手段である。通信の詳細については後に詳しく説明する。
【００４３】
交換レンズ３は主として、レンズ鏡胴３１、レンズ鏡胴３１の内部に設けられる複数のレンズ群３２、絞り３３等から構成される。複数のレンズ群３２の光軸Ｌに沿って入射した光の大部分は、第１のミラー３４ａにより９０度直角に上部方向（紙面上向き方向）に曲げられ、焦点板３８に結像する。結像した光像はペンタプリズム３５内部で２回反射し、接眼レンズ１０４を通して被写体像を、撮影者が見るように構成されている。ペンタプリズム３５の上部に設けられた本発明の測光手段である測光センサ４１は、前記焦点板３８上に結像した被写体像を測光し、被写体の輝度分布の情報を得て自動露出を行う目的で設けられている。
【００４４】
一方、複数のレンズ群３２の光軸Ｌに沿って入射した光の一部は、半透過鏡である第１のミラー３４ａを透過し、第２のミラー３４ｂに入射する。前記入射光は第２のミラー３４ｂにより９０度直角に下部方向（紙面下向き方向）に曲げられ、光軸Ｌ２となってＡＦセンサ光学ユニット３６に入射し、測距センサ４２上に結像する。
【００４５】
次に撮影中の状態について図４（ｂ）を用いて説明する。
【００４６】
撮影中は図示せぬミラー駆動機構により第１のミラー３４ａ、第２のミラー３４ｂは光軸Ｌ１から退避し、カメラ本体部２の上部に格納される。図４（ａ）は撮影前にシャッタ５１が光路を遮るように完全に閉じた状態である。撮影中に露光を行う時は図４（ｂ）のようにシャッタ５１が上下に開き光路を開放する。
【００４７】
この状態で、複数のレンズ群３２から入射した光は、撮像素子の一例であるＣＣＤ（電荷結合素子）５上に結像する。なお、本発明において撮像素子は、ＣＣＤに代えて、ＣＭＯＳセンサ、ＣＩＤセンサ等の固体撮像素子であってもよい。ＣＣＤ５にて取得された映像信号は図示せぬ回路基板でデジタル信号に変換し、画像処理を行った後、メモリカード２５に記録する。
【００４８】
フラッシュ９４は図４（ａ）ではカメラ本体部２の内部に収納された状態を図示し、図４（ｂ）ではカメラ本体部２から発光部分が飛び出して、被写体に向けて発光できる状態を図示している。
【００４９】
フラッシュ撮影時はフラッシュ撮影に先だって、フラッシュ９４を予備発光し、被写体からの反射光を測光して、本発光時の光量を設定している。すなわち、シャッタ５１がまだ閉じている状態で、フラッシュ９４を所定の光量で発光すると、被写体で反射した反射光は複数のレンズ群３２を通って入射し、シャッタ５１の表面で反射し、フラッシュ光量測光センサ４３上に結像するように構成されている。
【００５０】
図５は、図１〜図４に示したデジタルカメラ１０と交換レンズ３の主たる機能構成を示すブロック図である。なお、図１〜図４に示したものと同じ構成要素には同符号を付して説明を省略する。
【００５１】
交換レンズ３は、ズーム・フォーカス駆動部３３２、絞り駆動部３３１、レンズマイコン部３２０、通信開始スイッチ３０３、送信部３００、電極Ａ  ３０１、電極Ｂ  ３０２を備えている。
【００５２】
制御手段として機能するレンズマイコン部３２０は各種演算処理を行うレンズＣＰＵ３２１と、演算を行うための作業領域となるレンズＲＡＭ３２２と、制御プログラムと交換レンズ３の固有情報が記憶されるレンズＲＯＭ３２３とを備え、デジタルカメラ１０のメインマイコン部７と交信し、交換レンズ３の各部動作を統括的に制御する。
【００５３】
本発明における第１の記憶手段であるレンズＲＯＭ３２３に記憶される交換レンズ３の固有情報は、たとえば、レンズの焦点距離、Ｆ値、ズーム倍率、色味、最短撮影距離、マクロ倍率、イメージサークル情報、商品名などである。不揮発性メモリであるレンズＲＯＭ３２３としては、例えば、データの電気的な書き換えが可能なＥＥＰＲＯＭが採用される。これにより、レンズＲＯＭ３２３は、データの書き換えが可能で、かつ、電源を落とした場合でもそのデータの内容を保持する。
【００５４】
交換レンズ３がデジタルカメラ１０に装着されたとき、交信は信号端子板Ａ１０７の接点と信号端子板Ｂ３０５の接点を介して行われる。また、電源もデジタルカメラ１０から交換レンズ３に供給される。
【００５５】
交換レンズ３がデジタルカメラ１０に装着されていないとき、通信開始スイッチ３０３を指で押すと、送信部３００と接続される電極Ａ  ３０１、電極Ｂ  ３０２と受信部２００に接続される電極Ｃ２０１、電極Ｄ２０２の間で人体を介して通信が行われる。人体を介しての通信については後で詳しく説明する。
【００５６】
レンズマイコン部３２０は、デジタルカメラ１０のＡＥ制御部７２により指示された絞り値情報を、信号端子板Ａ１０７の接点と信号端子板Ｂ３０５の接点を介して受信し、指示された絞り値になるように絞り駆動部３３１を制御し、絞り３３の開口径を調整する。また、レンズマイコン部３２０は、デジタルカメラ１０のＡＦ制御部７１の指示により、ズーム・フォーカス駆動部３３２を制御し、レンズ群３２に含まれるレンズを適宜光軸方向に駆動する。
【００５７】
デジタルカメラ１０は、Ａ／Ｄ変換部２１、画像処理部２２、操作部６０、メインマイコン部７、バッファメモリ２６、画像メモリ２３、メモリカード２５等を有する。
【００５８】
制御手段として機能するメインマイコン部７は、マイクロコンピュータを備えて構成される。すなわち、メインマイコン部７は、各種演算処理を行うＣＰＵ７０と、演算を行うための作業領域となるＲＡＭ７５と、制御プログラムなどが記憶されるＲＯＭ７６とを備え、デジタルカメラ１の各処理部の動作を統括的に制御する。
【００５９】
ＲＡＭ７５は本発明の第２の記憶手段であり、交換レンズ３のレンズ固有の情報を一時記憶する。不揮発性メモリであるＲＯＭ７６としては、例えば、データの電気的な書き換えが可能なＥＥＰＲＯＭが採用される。これにより、ＲＯＭ７６は、データの書き換えが可能で、かつ、電源を落とした場合でもそのデータの内容を保持する。
【００６０】
操作部６０の独立して設けられた複数の操作部材であるシャッタボタン６１、モードスイッチ６２、表示切り替えボタン６３、撮影モードダイアル６４、十字キー６５，実行ボタン６６および電源スイッチ１０２の出力はメインマイコン部７に入力されている。
【００６１】
操作者（ユーザ）は、この操作部６０にて所定の操作を行うことにより、各種の設定操作を行うことができる。
【００６２】
シャッタボタン６１には半押しでＯＮになるスイッチＳＷ１と全押しでＯＮになるスイッチＳＷ２が連動しており、ＣＰＵ７０が半押し（ＳＷ１  ＯＮ）、全押し（ＳＷ２  ＯＮ）のタイミングを検知できるようになっている。
【００６３】
ミラー駆動部９１はメインマイコン部７の指令により、ミラー３４を駆動し、交換レンズ３の光路から退避させる。また、シャッタ駆動部９３はメインマイコン部７の指令によりシャッタ５１を開放する。
【００６４】
Ａ／Ｄ変換部２１、バッファメモリ２６、画像処理部２２および画像メモリ２３は、ＣＣＤ５にて取得された画像を扱う処理部を示している。ＣＣＤ５にて取得されたアナログ信号の画像は、Ａ／Ｄ変換部２１にてたとえば１４ビットのデジタル信号に逐次変換され、デジタル画像データとしてバッファメモリ２６に一時記憶される。前記画像データを画像処理を行う前の生データ、すなわちＲＡＷデータと呼ぶ。
【００６５】
画像処理部２２は、ＷＢ（Ｗｈｉｔｅ  Ｂａｌａｎｃｅ）補正、画素補間、リニアマトリクス、ガンマ補正、色差マトリクス処理、輪郭補正、画像圧縮などの画像処理機能を有する。ガンマ補正、輪郭補正、ＷＢ補正の補正量の設定値はメインマイコン部７からの指令により設定される。
【００６６】
メインマイコン部７は、入力された各センサの出力電圧をデジタル値に変換し、メインマイコン部７に入力する、図示せぬＡ／Ｄ変換部を備えて構成されている。
【００６７】
メインマイコン部７は、自動合焦制御部（以下、ＡＦ制御部と呼ぶ）７１、自動露出制御部（以下、ＡＥ制御部と呼ぶ）７２などの各種の制御機能を有する。メインマイコン部７の各種の機能は、予めＲＯＭ７６内に記憶される制御プログラムに従ってＣＰＵ７０が演算処理を行うことにより実現される。また、圧縮後の画像をメモリカード２５に記録したり、またＬＣＤ８１などに表示出力する制御機能も持っている。このような画像に対する各種の処理もメインマイコン部７の制御に基づいて行われる。
【００６８】
ＡＦ制御部７１は、ＲＡＭ７５に一時記憶された交換レンズ３の固有の情報と、測距センサ４２より得られた輝度情報により合焦用評価値を得て、交換レンズ３の焦点位置を調整することによって自動合焦制御を実現する。
【００６９】
ＡＥ制御部７２は、測光センサ４１より得られた被写体輝度の測光値により露出値を得て、シャッタ駆動部９３と絞り駆動部３３１を制御し、ＲＡＭ７５に一時記憶された交換レンズ３の固有の情報から決定される制約条件を満足した所定のシャッタ速度と絞り値に調整することによって自動露出制御を実現する。
【００７０】
図６は、本発明の実施の形態における、人体を介しての通信する際の伝送経路を説明する説明図である。
【００７１】
図６に示すように、電極Ａ  ３０１と電極Ｃ  ２０１が、人体と電気的に接続されることにより、「電極Ａ  ３０１→人体→電極Ｃ  ２０１」というルートが構成される。交換レンズ３の電極Ａ  ３０１と人体との界面のインピーダンス値をＺ〔電極Ａ−人〕、人体のインピーダンス値をＺ〔人〕、人体とデジタルカメラ１０の電極Ｃとの界面のインピーダンス値をＺ〔電極Ｃ−人〕とすると、「電極Ａ  ３０１→人体→電極Ｃ  ２０１」の間のインピーダンス値はＺ〔電極Ａ−人〕＋Ｚ〔人〕＋Ｚ〔電極Ｃ−人〕である。
【００７２】
一方、電極Ｂ  ３０２と人体との界面インピーダンス値は、電極Ａ  ３０１と人体との界面のインピーダンス値より大きくなるように電極を設けている。同様に、電極Ｄ  ２０２と人体との界面インピーダンス値は、電極Ｃ  ２０１と人体との界面のインピーダンス値より大きくなるように電極を設けているので、電極Ｂ  ３０２と電極Ｄ  ２０２は静電結合し、「電極Ｂ  ３０２→電極Ｄ  ２０２」というルートが構成される。このルートのインピーダンス値は、交換レンズ３の電極Ｂ  ３０２とデジタルカメラ１０の電極Ｄ  ２０２との静電結合のインピーダンス値Ｚ〔電極Ｂ−電極Ｄ〕である。
【００７３】
図７はこの２つの伝送経路を、上記のインピーダンス値を用いて等価回路で表現した等価回路図である。受信部２００の入力インピーダンス値をＺ〔受〕とすれば、単純な電圧分配により、Ｚ〔受〕にかかる電圧を検出することによって、送信部３００から受信部２００への伝送信号を検出でき、通信が実現される。
【００７４】
図８は本発明の実施の形態における送信部３００を説明するためのブロック図、図９は本発明の実施の形態における受信部のブロック図である。
【００７５】
図８では通信開始スイッチ３０３の操作ボタン３０３ａに人体と接触する電極Ａ  ３０１を形成した送信部３００の実施形態を説明する。通信を開始するために通信開始スイッチ３０３を押して、人体（指）が操作ボタン３０３ａに触れると、電極Ａ  ３０１と人体を介して信号を送信または受信できるようになっている。
【００７６】
図８に示すように、送信部３００は、人体に対するインピーダンス値が小さい送信電極である電極Ａ  ３０１と、それに比較してインピーダンス値が大きい送信電極である電極Ｂ  ３０２を備えている。
【００７７】
送信部３００は搬送波周波数を発生するＰＬＬ等の発振手段３０４と、その搬送波周波数に重畳して変調信号を生成する変調手段３０５と、変調信号に対応する電圧を印加する電圧印加手段３０６と、を備えている。
【００７８】
通信開始スイッチ３０３はレンズマイコン部３２０に接続されている。レンズマイコン部３２０が通信開始スイッチ３０３がＯＮになったことを検知すると、図示せぬ電源部が送信部の給電を開始するように制御する。
【００７９】
レンズマイコン部３２０の出力端子は変調手段３０５に接続されている。レンズマイコン部３２０からのレンズの固有情報などの出力信号は、変調手段３０５で変調され、伝送信号として伝送されるようになっている。
【００８０】
また、送信部３００には、回路の基準電位となる回路グランド（図示せず）が設けられるが、この回路グランドを電極Ａ  ３０１、又は電極Ｂ  ３０２のいずれか一方として形成すれば、別途回路グランドの電極を設けなくてもよい。
【００８１】
図９に示すように、受信部２００には、人体に対するインピーダンス値が小さい受信電極である電極Ｃ  ２０１と、それに比較してインピーダンス値が大きい受信電極である電極Ｄ  ２０２を備えている。
【００８２】
受信部２００は、送信部３００の搬送波周波数のみを取り出すことができるように調節されたフィルタ手段２０３と、フィルタ手段２０３の出力信号を増幅するアンプ等の増幅手段２０４と、増幅手段２０４の出力から変調された伝送信号を復調する復調手段２０５と、を備えている。なお、送信部３００には、回路の基準電位となる回路グランド（図示せず）が設けられるが、この回路グランドを人体に対するインピーダンス値が小さい方の電極である電極Ｃ  ２０１として形成してもよい。
【００８３】
また、電極Ａ  ３０１、電極Ｃ  ２０１は、それぞれ電極Ｂ  ３０２、電極Ｄ  ２０２の人体に対するインピーダンス値より小さくなるように設けられていればよく、例えば、電極Ａ  ３０１及び電極Ｃ  ２０１が、人体に近設されており、電極Ｂ  ３０２及び電極Ｄ  ２０２が人体から離設されていればよい。さらに、電極と人体との電気的接続を阻止するものでなければ、人体と電極との間に繊維やケーシング材料等が介在してもよく、直接人体に触れる必要はない。
【００８４】
本実施の形態により、交換レンズ３からデジタルカメラ１０までの通信が実現され、伝送線を必要とせず、また、無線発信機構を有さないので、小型、低コスト化が実現できる。
【００８５】
図１０は本発明の実施の形態における交換レンズ３が行うレンズデータ送信の概略の手順を説明するフローチャートである。
【００８６】
レンズマイコン部３２０は通信開始スイッチ３０３がＯＮかどうか、判定する（ステップＳ１０１）。通信開始スイッチ３０３がＯＮではない場合（ステップＳ１０１；Ｎｏ）ステップＳ１０１に戻り、再度通信開始スイッチ３０３がＯＮかどうか、判定する。通信開始スイッチ３０３がＯＮの場合（ステップＳ１０１；Ｙｅｓ）、レンズマイコン部３２０は送信部３００の図示せぬ電源をＯＮにし、レンズデータの数Ｎの情報を含むレンズデータ送信開始信号を人体を介して送信する（ステップＳ１０２）。レンズデータは例えば焦点距離、Ｆ値、色味、最短撮影距離、マクロ倍率、イメージサークル情報、商品名などであり、各レンズデータを２バイトデータとして送信する。各レンズデータを識別するため、送信する順に固有の番号Ｎを割り当てている。たとえばレンズデータ１は焦点距離、レンズデータ２はＦ値である。
【００８７】
ステップＳ１０３ではレンズマイコン部３２０は内部の第１の記憶手段であるレンズＲＯＭ３２３のレンズデータ１を読み出し、送信部３００から変調信号を人体を介して送信する（ステップＳ１０３）。ステップＳ１０４までの間、レンズデータ２〜Ｎまで順次送信する（ステップＳ１０４）。
【００８８】
レンズデータＮまで送信を終えると、レンズマイコン部３２０はレンズデータ送信終了信号を送信する（ステップＳ１０５）。これで、レンズデータ１〜Ｎの送信は終了し、ステップＳ１０１に戻る。通信開始スイッチ３０３がＯＮのままの場合（ステップＳ１０１；Ｙｅｓ）、再度レンズデータ１〜Ｎの送信を行う。
【００８９】
本実施の形態では通信開始スイッチ３０３を設け、通信開始スイッチ３０３がＯＮの場合にレンズデータを送信するように構成しているが、通信開始スイッチ３０３を無くしてステップＳ１０１を省略し、常にレンズデータを繰り返し送信するようにしても良い。
【００９０】
図１１は本発明の実施の形態におけるデジタルカメラ１０が行うレンズデータ受信の概略の手順を説明するフローチャートである。このとき、操作者はたとえば右手でデジタルカメラ１０のグリップ部２０５を握り、電極Ａ  ３０１に指が触れている状態であり、もう一方の手には交換レンズ３を持ち通信開始スイッチ３０３を押しているものとする。本実施の形態では、シャッタボタン６１を半押し（ＳＷ１  ＯＮ）にすると、受信可能となり通信を開始するものとする。
【００９１】
ステップＳ２０１において、メインマイコン部７はシャッタボタン６１が半押し（ＳＷ１  ＯＮ）かどうか、を判定する。半押し（ＳＷ１  ＯＮ）ではない場合（ステップＳ２０１；Ｎｏ）ステップＳ２０１に戻り、再度半押し（ＳＷ１  ＯＮ）か、どうか、判定する。シャッタボタン６１が半押し（ＳＷ１  ＯＮ）の場合（ステップＳ２０１；Ｙｅｓ）、メインマイコン部７は受信部２００の図示せぬ電源をＯＮにし、送信部３００からのレンズデータ送信開始信号の受信を開始する（ステップＳ２０２）。レンズデータ送信開始信号を所定時間以内に受信できなかったときは（ステップＳ２０２；Ｎｏ）、ステップＳ２０１に戻る。レンズデータ送信開始信号を所定時間以内に受信できたときは（ステップＳ２０２；Ｙｅｓ）、レンズデータ送信開始信号に含まれるレンズデータの数Ｎの情報を得て、順次データ１から受信する（ステップＳ２０３）。
【００９２】
レンズデータ１を所定時間以内に受信できなかったときは（ステップＳ２０３；Ｎｏ）、ステップＳ２０１に戻る。レンズデータ１を所定時間以内に受信できたときは（ステップＳ２０３；Ｙｅｓ）受信したデータをＲＡＭ７５に格納する。
【００９３】
次にデータ２〜Ｎまで順次データを受信する（ステップＳ２０５）。レンズデータＮを所定時間以内に受信できなかったときは（ステップＳ２０５；Ｎｏ）、ステップＳ２０１に戻る。レンズデータＮを所定時間以内に受信できたときは（ステップＳ２０５；Ｙｅｓ）、受信したデータを順にＲＡＭ７５に格納する。このとき、メインマイコン部７はレンズデータ１〜Ｎをすべて受信し、第２の記憶手段であるＲＡＭ７５に格納されている。このように、撮影時にＡＦ制御部７１やＡＥ制御部７２が交換レンズ３を制御するときに必要なレンズ固有のデータを、交換レンズをデジタルカメラ１０に装着する前に取得することができる。
【００９４】
ステップＳ２０６において、メインマイコン部７は本発明の表示手段である液晶モニタ８１に受信したレンズデータ１〜Ｎを所定の時間表示する。このようにして、操作者は交換レンズ３の固有のレンズデータを、デジタルカメラ１０に装着しなくても知ることができる。
【００９５】
なお、本実施の形態では操作者がシャッタボタン６１を半押し（ＳＷ１  ＯＮ）にしたとき、受信部２００が受信を開始するようにしているが、受信を開始する操作部材はシャッタボタン６１に限定されるものではなく、ほかのスイッチやボタンでも良い。また、電極Ｃ２０１をシャッタボタン６１などの操作部材表面に形成しても良い。さらに、スイッチやボタンの操作に関係なく常時受信部２００が受信するようにしても良い。
【００９６】
以上のように本実施の形態によれば、交換レンズをカメラ本体に装着しなくても、交換レンズの情報をカメラ本体に簡単に読みとれるので、短時間で容易に交換レンズの選択ができ、レンズ交換した後のカメラ本体の制御が早い、操作性の良い撮像システムを提供できる。
【００９７】
なお、本実施形態としてデジタルカメラを例示したが、銀塩カメラやレンズ交換可能なビデオカメラなどにも適用可能である。
【図面の簡単な説明】
【００９８】
【図１】本発明に係る撮像システム１の外観図である。
【図２】本発明に係るデジタルカメラ１０の正面図である。
【図３】本発明に係るデジタルカメラ１０の背面図である。
【図４】本発明に係るデジタルカメラ１０の撮影前と撮影中の状態を説明する断面図である。
【図５】本発明の実施形態における撮像システム１の回路ブロック図である。
【図６】本発明の実施の形態における伝送経路を説明する説明図である。
【図７】２つの伝送経路を、上記のインピーダンス値を用いて等価回路で表現した等価回路図である。
【図８】本発明の実施形態における送信部と周辺の回路ブロック図である。
【図９】本発明の実施形態における受信部と周辺の回路ブロック図である。
【図１０】本発明の実施形態における交換レンズ３で行われるレンズデータ送信時の処理の流れを示すフローチャートである。
【図１１】本発明の実施形態におけるデジタルカメラ１０で行われるレンズデータ受信時の処理の流れを示すフローチャートである。
【符号の説明】
【００９９】
１  撮像システム
２  カメラ本体部
３  交換レンズ
７  メインマイコン部
１０  デジタルカメラ
２００  受信部
２０１  電極Ｃ
２０２  電極Ｄ
３００  送信部
３０１  電極Ａ
３０２  電極Ｂ
３０３  通信開始スイッチ
３２０  レンズマイコン部
【図１】
2007017746.tif 000003
【図２】
2007017746.tif 000004
【図３】
2007017746.tif 000005
【図４】
2007017746.tif 000006
【図５】
2007017746.tif 000007
【図６】
2007017746.tif 000008
【図７】
2007017746.tif 000009
【図８】
2007017746.tif 000010
【図９】
2007017746.tif 000011
【図１０】
2007017746.tif 000012
【図１１】
2007017746.tif 000013